(57)【要約】【課題】  乗員に対する空調風の風速を和らげることができると共に、車室内空調の快適感が向上する車両用空気調和装置を提供する。【解決手段】  本発明の車両用空気調和装置１は、空調風を形成する空調ユニット２と、空調ユニット２で形成された空調風が乗員４側へ向けて吹き出される第１の吹出口８と、空調ユニット２で形成された空調風が車両上下方向の上方側に向けて吹き出される第２の吹出口１１と、第１の吹出口８と第２の吹出口１１からの空調風の吹き出しを所定の周期で切り換える空調風吹出切り換え手段５とを備え、空調風吹出切り換え手段５は、第１、第２の吹出口８、１１の一方を閉じ状態とし、他方を開状態とする開閉ドア手段６と、開閉ドア手段６の閉じ状態と開状態とを所定の周期で開閉制御する制御手段７とで形成されている。【選択図】      図１
2005212607.tif 000002
【特許請求の範囲】
【請求項１】
空調風を形成する空調ユニット（２）と、車両のインストルメントパネル（３）に設けられて前記空調ユニット（２）で形成された空調風を車室内に向けて吹き出す吹出手段（２８）と、該吹出手段（２８）からの前記空調風の吹き出し方向を、車両の上下方向に所定の周期で可変とする吹出方向可変手段（２９）とを有することを特徴とする車両用空気調和装置（１）。
【請求項２】
請求項１記載の車両用空気調和装置であって、前記吹出手段が車両のインストルメントパネル（３）の前面側に設けられて前記空調ユニット（２）で形成された空調風が乗員（４）側へ向け  て吹き出される第１の吹出口（８）と、車両のインストルメントパネル（３）の上面側に設けられて前記空調ユニット（２）で形成された空調風が車両上下方向の上方側に向けて吹き出される第２の吹出口（１１）とからなり、前記吹出方向可変手段が前記第１の吹出口（８）と前記第２の吹出口（１１）からの空調風の吹き出しを所定の周期で切り換える空調風吹出切り換え手段（５）からなることを特徴とする車両用空気調和装置。
【請求項３】
請求項２記載の車両用空気調和装置（１）であって、前記空調風吹出切り換え手段（５）は、前記第１、第２の吹出口（８、１１）へ空調風を導く空調ダクト（９、１２）に設けられて前記第１、第２の吹出口（８、１１）の一方を閉じ状態とし、他方を開状態とする開閉ドア手段（６）と、前記開閉ドア手段（６）の閉じ状態と開状態とを所定の周期で開閉制御する制御手段（７）とからなることを特徴とする車両用空気調和装置（１）。
【請求項４】
請求項３記載の車両用空気調和装置（１）であって、前記開閉ドア手段（６）が、第１の吹出口（８）へ空調風を導く空調ダクト（９）に設けられて第１の吹出口（８）への空調風を遮断する閉じ状態と第１の吹出口（８）へ空調風を供給する開状態とに切り換えられる第１の開閉ドア（１０）と、第２の吹出口（１１）へ空調風を導く空調ダクト（１２）に設けられて第２の吹出口（１１）への空調風を遮断する閉じ状態と第２の吹出口（１１）へ空調風を供給する開状態とに切り換えられる第２の開閉ドア（１３）とを有し、前記制御手段（７）は、前記第１、第２の開閉ドア（１０、１３）を所定の周期で一方の開閉ドアを開状態とし他方の開閉ドアを閉じ状態とすることを特徴とする車両用空気調和装置（１）。
【請求項５】
請求項３又は請求項４記載の車両用空気調和装置（１）であって、前記制御手段（７）は、第１の吹出口（８）と第２の吹出口（１１）から吹き出される空調風を異なる風量に制御することを特徴とする車両用空気調和装置（１）。
【請求項６】
請求項４又は請求項５記載の車両用空気調和装置（１）であって、前記第１、第２の吹出口（８、１１）がそれぞれ複数個設けられ、前記制御手段（７）は複数の第１、第２の吹出口（８、１１）のうち任意の吹出口から空調風を吹き出させることを特徴とする車両用空気調和装置（１）。
【請求項７】
請求項１乃至請求項６のいずれか一項に記載の車両用空気調和装置（１）であって、前記吹出手段に、車室内に向けて吹き出された空調風を車両上下方向に案内する上下方向可変ルーバ（２１）を設けたことを特徴とする車両用空気調和装置（１）。
【請求項８】
請求項６又は請求項７記載の車両用空気調和装置（１）であって、前記第１、第２の開閉ドア（１０、１３）は閉じ状態で前記第１、第２の吹出口（８、１１）から微量の空調風の吹き出しを許容することを特徴とする車両用空気調和装置（１）。
【請求項９】
請求項３乃至請求項８のいずれか一項に記載の車両用空気調和装置（１）であって、乗員（４）の表面温度を検出する表面温度検出手段（１８）を設け、前記制御手段（７）は前記表面温度検出手段（１８）の検出結果に基づいて所定の周期を求めて前記第１の吹出口（８）と前記第２の吹出口（１１）からの空調風の吹き出し周期を切り替えることを特徴とする車両用空気調和装置（１）。
【請求項１０】
請求項９記載の車両用空気調和装置であって、前記表面温度検出手段が赤外線を用いた温度検出器であることを特徴とする車両用空気調和装置。
【発明の詳細な説明】
【技術分野】
【０００１】
本発明は、車両のインストルメントメントパネルの前面側、上面側から空調風を車室内側へ吹き出すための車両用空気調和装置に関する。
【背景技術】
【０００２】
インストルメントパネルの前面側、上面側には、車室内へ向けて空調風（例えば冷房用の冷風や暖房用の温風）が吹き出される吹出口（通常のベント、アッパーベント）がそれぞれ設けられている。これらの吹出口から吹き出される空調風は、車室内全体に満べんなく吹き出されて、車室内を均一に空調し、快適な車室内空間としている。
【０００３】
この場合、インストルメントパネルの前面側の吹出口（通常のベント）から吹き出される空調風は、乗員に直接風が当たるため暖かさを早く感じることができたり、涼しさを早く感じることができる。また、インストルメントパネルの上面側に設けた吹出口（アッパーベント）から空調風を吹き出すことにより乗員に対する風速を和らげることができる。
【０００４】
さらに、特許文献１では、インストルメントパネル前面側の吹出口（通常のベント）の直前に、回転バルブを設けて、吹出口から吹き出される空調風を車幅方向で可変とし、乗員に一定の周期で空調風が当たるようにしたいわゆるスイングルーバ式の空調装置が提案されている。この空調装置では、空調風の吹き出し領域が車幅方向で可変するので、乗員が風速を感じることのない送風および乗員が直接空調風を受けるスポット送風をインストルメントパネル前面側の吹出口で実現することができる。
【特許文献１】実公昭６２−２９８６９号
【発明の開示】
【発明が解決しようとする課題】
【０００５】
しかしながら、アッパーベントからの空調風の吹き出しは乗員に対する風速を和らげることはできるが、逆に空調風が乗員に届かず、暑さや寒さを感じることがある。
【０００６】
また、特許文献１で提案されたスイングルーバ式のものでは、空調風が乗員以外を向いている瞬間は冷気や暖気を感じることができないので、暑さや寒さを感じてしまう。
【０００７】
さらに、特許文献１の空調装置では、運転席側の吹出口からスイングルーバによって助手席側へ空調風が吹き出されることにより、助手席側の乗員の好みに反して助手席側の乗員に直接空調風が吹き付けられることになる。
【０００８】
従って、アッパーベントから空調風を吹き出しても、特許文献１のようにスイングルーバ式のものでも、乗員にとって快適な空調を得ることができなかった。
【０００９】
そこで、本発明は、乗員に対する空調風の風速を和らげることができると共に、車室内空調の快適感を向上することができる車両用空気調和装置の提供を目的とする。
【課題を解決するための手段】
【００１０】
上記の目的を達成するため、請求項１の発明は、空調風を形成する空調ユニットと、車両のインストルメントパネルに設けられて前記空調ユニットで形成された空調風を車室内に向けて吹き出す吹出手段と、該吹出手段からの前記空調風の吹き出し方向を、車両の上下方向に所定の周期で可変とする吹出方向可変手段とを有することを特徴とする。
【００１１】
この発明では、吹出方向可変手段が、吹出手段からの車室内への空調風の吹き出し方向を車両上下方向に所定の周期で可変して、空調風を車室内へ吹き出す。
【００１２】
請求項２の発明は、請求項１記載の車両用空気調和装置であって、前記吹出手段が車両のインストルメントパネルの前面側に設けられて前記空調ユニットで形成された空調風が乗員側へ向けて吹き出される第１の吹出口と、車両のインストルメントパネルの上面側に設けられて前記空調ユニットで形成された空調風が車両上下方向の上方側に向けて吹き出される第２の吹出口とからなり、前記吹出方向可変手段が前記第１の吹出口と前記第２の吹出口からの空調風の吹き出しを所定の周期で切り換える空調風吹出切り換え手段からなることを特徴とする。
【００１３】
この発明では、空調風吹出切り換え手段が、第１の吹出口と第２の吹出口から所定の周期で交互に空調風を吹き出させることにより、車両上下方向に空調風の吹き出し方向が可変する。
【００１４】
請求項３の発明は、請求項２記載の車両用空気調和装置であって、前記空調風吹出切り換え手段は、前記第１、第２の吹出口へ空調風を導く空調ダクトに設けられて前記第１、第２の吹出口の一方を閉じ状態とし、他方を開状態とする開閉ドア手段と、前記開閉ドア手段の閉じ状態と開状態とを所定の周期で開閉制御する制御手段とからなることを特徴とする。
【００１５】
この発明では、制御手段は、開閉ドア手段を制御することにより、第１、第２の吹出口から空調風を所定の周期で交互に吹き出させる。
【００１６】
請求項４の発明は、請求項３記載の車両用空気調和装置であって、前記開閉ドア手段が、第１の吹出口へ空調風を導く空調ダクトに設けられて第１の吹出口への空調風を遮断する閉じ状態と第１の吹出口へ空調風を供給する開状態とに切り換えられる第１の開閉ドアと、第２の吹出口へ空調風を導く空調ダクトに設けられて第２の吹出口への空調風を遮断する閉じ状態と第２の吹出口へ空調風を供給する開状態とに切り換えられる第２の開閉ドアとを有し、前記制御手段は、前記第１、第２の開閉ドアを所定の周期で一方の開閉ドアを開状態とし他方の開閉ドアを閉じ状態とすることを特徴とする。
【００１７】
この発明では、制御手段が第１、第２の開閉ドアを制御することにより、第１の吹出口と第２の吹出口からの空調風の吹き出しを所定の周期で切り換える。これにより、乗員に対して直接空調風が当たったり、直接空調が当たることのない空調を行うことができる。
【００１８】
請求項５の発明は、請求項３又は請求項４記載の車両用空気調和装置であって、前記制御手段は、第１の吹出口と第２の吹出口から吹き出される空調風を異なる風量に制御することを特徴とする。
【００１９】
この発明では、第１の吹出口と第２の吹出口からの空調風の吹き出しを所定の周期で交互に行う空調に加えて、第１の吹出口からの空調風の風量を第２の吹出口からの空調風の風量を多くしたり、少なくすることにより、例えば、乗員に直接空調風が当たる第１の吹出口からの風量は少なく、乗員に直接空調風が当たらない第２の吹出口からの風量を多くすることにより車室内の温度を素早く所定の温度にすることができる。
【００２０】
請求項６の発明は、請求項４又は請求項５記載の車両用空気調和装置であって、前記第１、第２の吹出口がそれぞれ複数個設けられ、前記制御手段は複数の第１、第２の吹出口のうち任意の吹出口から空調風を吹き出させることを特徴とする。
【００２１】
この発明では、請求項４、５の発明の作用に加えて、複数の第１、第２の吹出口のうち任意の吹出口から空調風を吹き出させることができるので、車室内の所定の領域にだけ空調を当てることができ、車室内を素早く所定の温度にすることができる。
【００２２】
請求項７の発明は、請求項１乃至請求項６のいずれか一項に記載の車両用空気調査装置であって、前記吹出手段に、車室内に向けて吹き出された空調風を車両上下方向に案内する上下方向可変ルーバを設けたことを特徴とする。
【００２３】
この発明では、請求項１至請求項６の発明の作用に加えて、吹出手段に上下方向可変ルーバを設けたので、車両上下方向に空調を案内することができ、吹出手段から吹き出される空調風を車両の上下方向に所定の周期で可変することができる。
【００２４】
請求項８の発明は、請求項６又は請求項７記載の車両用空気調和装置であって、前記第１、第２の開閉ドアは閉じ状態で前記第１、第２の吹出口から微量の空調風の吹き出しを許容することを特徴とする。
【００２５】
請求項６又は請求項７の発明の作用に加えて、第１、第２の吹出口の一方から空調風が吹き出ている場合でも、他方の吹出口から微量の空調風が吹き出ることにより、他方の吹出口からの微量の空調風で空調風の行き届かない部分を空調することができる。
【００２６】
請求項９の発明は、請求項３至請求項８のいずれか一項に記載の発明であって、乗員の表面温度を検出する表面温度検出手段を設け、前記制御手段は前記表面温度検出手段の検出結果に基づいて所定の周期を求めて前記第１の吹出手段と前記第２の吹出手段からの空調風の吹き出し周期を切り替えることを特徴とする。
【００２７】
この発明では、制御手段は、乗員の表面温度差に基づいて空調風の吹き出し周期を切り換える。これにより、例えば、空調風として冷風の場合には冷え過ぎや、冷え不足を無くして快適な空調が得られる。
【００２８】
請求項１０の発明は、請求項９記載の車両用空気調和装置であって、前記表面温度検出手段が赤外線を用いた温度検出器であることを特徴とする。
【００２９】
この発明では、乗員の表面温度を検出する手段として赤外線による温度検出器を用いることにより、例えば、インストルメントパネルにこの温度検出器を取り付けることで容易に乗員の表面温度を計測することができ、温度を感知する感知部分を乗員の身体に付けなくても表面温度を検出することができる。
【発明の効果】
【００３０】
本発明によれば、吹出方向可変手段が、吹出手段からの車室内への空調風の吹き出し方向を車両上下方向に所定の周期で可変して、空調風を車室内へ吹き出すので、例えば、インストルメントパネルの吹出口からの一方向への空調風のみの場合と比較して、乗員に対して時々直接風が当たるので、冷房感や暖房感、快適感が向上する。
【００３１】
また、吹出手段が、第１、第２の吹出口からなる場合には、空調風吹出切り換え手段が、第１の吹出口と第２の吹出口からの空調風の吹き出しを所定の周期で切り換えるので、例えば、インストルメントパネル上面側の第１の吹出口からの空調風のみの場合と比較して、乗員に対して時々直接風が当たるので、冷房感や暖房感、快適感が向上する。
【００３２】
また、車幅方向に空調風を案内する従来の空調装置と比較し、所定の周期で乗員に直接空調風が当たるので、常時冷気あるいは暖気を感じることができる。
【００３３】
従って、乗員に対する空調風の風速を和らげることができると共に、車室内空調の快適感を向上することができる。
【発明を実施するための最良の形態】
【００３４】
以下、本発明の実施形態を図面に基づいて説明する。
【００３５】
図１は、本実施形態の車両用空気調和装置１の構成を示す概略図、図２は車室内のインストルメントパネル３を示す側面図、図３は車室内を示す正面図である。
【００３６】
図１に示すように、本実施形態の車両用空気調和装置１は、空調風を形成する空調ユニット２と、車両のインストルメントパネル３に設けられて空調ユニット２で形成された空調風を車室内に向けて吹き出す吹出手段２８と、この吹出手段２８からの空調風の吹き出し方向を、車両の上下方向に所定の周期で可変とする吹出方向可変手段２９とを有している。また、吹出手段２８は、車両のインストルメントパネル３の前面側に設けられて空調ユニット２で形成された空調風が乗員４側へ向けて吹き出される第１の吹出口８と、車両のインストルメントパネル３の上面側に設けられて空調ユニット２で形成された空調風が車両上下方向の上方側に向けて吹き出される第２の吹出口１１とからなり、吹出方向可手段２９は、第１の吹出口８と第２の吹出口１１からの空調風の吹き出しを所定の周期で切り換える空調風吹出切り換え手段５からなる。
【００３７】
空調ユニット２は、送風機、エバポレータ、ヒータコア、ミックスドア、空調風を導く空調ダクト等が筐体内に一体に収納されて形成されている。この空調ユニット２から空調風が空調ダクト９、１２に導かれ、第１、第２の吹出口８、１１から車室内に吹き出される。
【００３８】
第１の吹出口８は、図２及び図３に示すように、インストルメントパネル３の前面側であって、両側部にそれぞれ一つ、中心部に２つの計４箇所に設けられている。また、第２の吹出口１１は、インストルメントパネル３の上面側であって、両側部にそれぞれ一つ、中心部に１つの計３箇所に設けられている。第１の吹出口８は、いわゆる通常のベントであり、前席乗員に向けて空調風を直接的に吹き出す。第２の吹出口１１は、いわゆるアッパーベントであり、前席乗員の頭部上方へ向けて空調風を間接的に吹き出す。これらの第１、第２の吹出口８、１１からは、空調風吹出切り換え手段５により所定の周期で交互に空調風が吹き出される。
【００３９】
空調風吹出切り換え手段５は、第１、第２の吹出口８、１１へ空調風を導く空調ダクト９、１２（この実施形態では、空調ユニット２内の空調ダクト）に設けられて第１、第２の吹出口８、１１の一方を閉じ状態とし、他方を開状態とする開閉ドア手段６と、開閉ドア手段６の閉じ状態と開状態とを所定の周期で開閉制御する制御手段７とからなる。
【００４０】
開閉ドア手段６は、第１の吹出口８へ空調風を導く空調ダクト９に設けられて第１の吹出口８への空調風を遮断する閉じ状態と第１の吹出口８へ空調風を供給する開状態とに切り換えられる第１の開閉ドア１０と、第２の吹出口１１へ空調風を導く空調ダクト１２に設けられて第２の吹出口１１への空調風を遮断する閉じ状態と第２の吹出口１１へ空調風を供給する開状態とに切り換えられる第２の開閉ドア１３とで形成されている。
【００４１】
制御手段７は、空調ユニット２と接続されて、空調ユニット２内の第１、第２の開閉ドア１０、１３の作動を制御する制御装置１４と、制御装置１４に接続された車室内の温度を検出する室温センサ（ＩＮＣ）１５、外気温度を検出する外気温センサ（ＡＭＢ）１６、日射を検出する日射センサ（ＳＵＮ）１７、乗員の表面温度を検出する表面温度センサ（ＩＲ）１８とからなる。
【００４２】
そして、これらの各センサ１５、１６、１７、１８の検出結果に基づいて、制御装置１４は、第１、第２の開閉ドア１０、１３を所定の周期で一方の開閉ドア１０（１３）を開状態とし他方の開閉ドア１３（１０）を閉じ状態とする上下スイング風制御を行う。
【００４３】
以下に、図４に示す制御装置１４の制御方法について説明する。
【００４４】
車室内の空調が開始されると、ステップＳ１で室温、外気温、日射、乗員の表面温度が、室温センサ１５、外気温センサ１６、日射センサ１７、表面温度センサ１８により検出される。これらの検出結果に基づいて制御装置１４は、ステップＳ２で車室内に最も適した目標値（温度）Ｘｍを演算する。この目標値Ｘｍに基づいて、空調ユニット２の送風機のファンモータ（不図示）のファン電圧がステップＳ３で求められる。
【００４５】
ステップＳ４で、求められたファン電圧が１０ボルト以下か否かが判断され、ファン電圧が１０ボルト以下であると、すなわち、車室内の温度が冷た過ぎる状態であったり、暑すぎる状態ではないと判断される。この場合、車室内の温度が冷たすぎたり、暑すぎる場合には、ステップＳ１１で通常モードの空調制御がなされる。すなわち、第１の吹出口８、第２の吹出口１１から同時に空調風（冷風あるいは温風）が吹き出される。
【００４６】
ステップＳ４で車室内の温度が冷た過ぎたり、暑すぎる状態ではないと判断されると、ステップＳ５で、乗員の身体の各部の表面温度差、例えば、乗員の上半身と下半身との温度差が３℃以内か否かが判断される。すなわち、乗員の上半身と下半身とで表面温度差が３℃以上ある場合には、上半身のみ早く冷房したり、暖房したりするために局部的な空調を必要とするが、上半身と下半身の表面温度差が３℃以内である場合にはその必要がない。このため、ステップＳ６で第１の吹出口（通常のベント）８と第２の吹出口（アッパーベント）１１から所定の周期で交互に吹き出す「上下スイング」モードが開始される。
【００４７】
ステップＳ６で上下スイングモードが開始されると、ステップＳ７で下半身が２６℃以下か否かが判断され、ステップＳ８で上半身が２７℃以上か否かが判断される。すなわち、上下スイングモードにおける所定の周期を決定するために、第１の吹出口８からの空調風の吹き出し時間と第２の吹出口１１からの吹き出し時間とを設定するため、下半身と上半身の表面温度が判断される。下半身が２６℃以下でなく、上半身が２７℃以上でない場合は、ステップＳ９で、第１の吹出口８からの空調風（乗員への直接風）の吹出時間を５秒に、第２の吹出口１１からの空調風の吹出時間が５秒に設定される。この場合、乗員の上半身と下半身との表面温度差がなく、上半身、下半身のいずれも局部的に温度が低くないので、第１の吹出口８と第２の吹出口１１とから交互に空調風を吹き出す周期を５秒周期で吹き出す上下スイングモードに設定される。
【００４８】
ステップＳ７で乗員の表面温度が２６℃以下である場合や、ステップＳ８で乗員の表面温度が２７℃以上である場合は、ステップＳ１２で、第１の吹出口８からの直接風を７秒に、第２の吹出口１１からの間接風を３秒に設定する。この場合、第１の吹出口８からの吹出時間を多くすることで、乗員に向けてより多くの空調風（直接風）を吹き出す。
【００４９】
そして、ステップＳ１０で空調が停止されたか否かが判断され空調が停止されると上記の制御が終了し、空調が停止されない場合は、ステップＳ１以下が繰り返し実行される。
【００５０】
本実施形態によれば、制御手段７、第１の吹出手段と第２の吹出手段からの空調風の吹き出しを所定の周期で切り換えるので、例えば、インストルメントパネル３上面側の第１の吹出口８からの空調風のみの場合と比較して、乗員に対して時々直接風が来るので、冷房感や暖房感、快適感が向上する。
【００５１】
また、車幅方向に空調風を案内する従来の空調装置と比較し、所定の周期で乗員に直接空調風が当たるので、常時冷気あるいは暖気を感じることができる。
【００５２】
従って、乗員に対する空調風の風速を和らげることができると共に、車室内空調の快適感を向上することができる。
【００５３】
次に上記実施形態の他の実施形態について説明する。
【００５４】
複数の第１の吹出口８、第２の吹出口１１は、図３に示す配置以外に、図５に示すように、第１の吹出口８は、インストルメントパネル３の前面側の両サイド、中央部分に、第２の吹出口１１は、インストルメントパネル３の上面側に円形、矩形形状のものを交互に配置しても良い。
【００５５】
また、上記の実施形態では、空調ユニット２内に一体に設けられて、第１の吹出口８へ空調風を導く空調ダクト９に第１の開閉ドア１０を設け、第２の吹出口１１へ空調風を導く空調ダクト１２に第２の開閉ドア１３を設けた例を示したが、図６に示すように、空調ユニット２からの空調風を第１の吹出口８、第２の吹出口１１に導く、空調ユニット２とは別体の空調ダクト１９の分岐部分に分岐部開閉ドア２０を設けて、第１の吹出口８、第２の吹出口１１への空調風の切り換えを行っても良い。
【００５６】
さらに、上記実施形態において、図６及び図７に示すように、第１の吹出口８の開口縁部に、空調風の吹出方向を変更可能な可動ルーバ２１を設けても良い。図８に示すように、可動ルーバ２１は、第２の吹出口１１から吹き出される空調風を車両幅方向に向けて案内する幅方向可変ルーバ２２と、上下方向に向けて案内する上下方向可変ルーバ２３とで形成されている。幅方向可変ルーバ２２は、空調ダクト１２内に空調風の流れ方向（矢印Ｂ方向）に対して交差する方向に配置された回転支軸２４と、この回転支軸２４に回動自在に支持された一枚のガイド板２５とで形成され、ガイド板２５が回転支軸２４を中心に回動することで、車両幅方向に空調風を案内する。この幅方向可動ルーバより開口縁側に、上下方向可変ルーバ２３が配置されている。
【００５７】
上下方向可変ルーバ２３は、回転支軸２６と、この回転支軸２６の所定の間隔で回動自在に支持された４つのガイド片２７、２７、２７、２７とで形成されている。４つのガイド片２７、２７、２７、２７を回転支軸２６を中心に回動させることで空調風の吹き出し角度を上下方向に変化させることができる。そして、これらの幅方向可変ルーバ２２と上下方向可変ルーバ２３とは手動により乗員の好みにより空調風の向きを変えることで、空調風の吹き出しを好みに合わせることができ、快適な空調が得られる。
【００５８】
また、上記で説明した「上下スイング」モードでは、ステップＳ９、１２に示すように第１の吹出口８、第２の吹出口１１からの空調風の吹き出し時間をそれぞれ変更し、交互に周期的に空調風の吹き出しを制御したが、第１の吹出口８、第２の吹出口１１から吹き出される空調風の風量を変化させても良い。この場合、第１、第２の吹出口８、１１から交互に吹き出す時間が同じでも、第１の吹出口８からの風量を多くすることにより乗員への直接風の風量を多くしても良く、逆に第２の吹出口８からの風量を多くすることにより間接風の風量を多くしても良い。
【００５９】
また、上記実施形態において、第１、第２の開閉ドア１０、１３の一方を開状態とし、他方を閉じ状態とした場合でも、閉じ状態の開閉ドアは完全に空調風を遮断するのではなく、極微量の空調風（もらし風）を吹出口から吹き出させて良い。この場合には、上下の強弱を付けることができる。
【００６０】
さらに、上記各実施形態では、吹出手段として通常のベントである第１の吹出口８とアッパーベントである第２の吹出口１１とを設けた例を示し、吹出方向可変手段として、空調風吹出切り換え手段５を用いて、第１、第２の吹出口８、１１からの空調風の吹き出しを所定の周期で交互に吹き出すようにした上下スイングモードとしたが、吹出手段として通常のベントである第１の吹出口８を用い、吹出方向可変手段として上下方向可変ルーバ２３を用いることによって、第１の吹出口８からの空調風の吹き出し方向を上下方向に所定の周期で変化させても良い。この場合、上下可変ルーバ２３の回動支軸２６をモータ等によって駆動することで自動的に回動させる。
【図面の簡単な説明】
【００６１】
【図１】本実施形態の車両用空気調和装置の構成を示す概略図である。
【図２】車室内のインストルメントパネルを示す側面図である。
【図３】車室内を示し図２の矢印Ａ方向から見た矢視図である。
【図４】制御装置の上下スイングモードにおける制御を示すフローチャートである。
【図５】車室内のインストルメントパネルを示し、図３と同じ方向から見た矢視図である。
【図６】他の実施形態の第１の吹出口と第２の吹出口とを示す側面図である。
【図７】他の実施形態の第１の吹出口と第２の吹出口とを示す側面図である。
【図８】第１の吹出口に取り付けられる可動ルーバを示す側面図である。
【符号の説明】
【００６２】
１  車両用空気調和装置
２  空調ユニット
３  インストルメントパネル
５  空調風吹出切り換え手段
６  開閉ドア手段
７  制御手段
８  第１の吹出口
１１  第２の吹出口
【図１】
2005212607.tif 000003
【図２】
2005212607.tif 000004
【図３】
2005212607.tif 000005
【図４】
2005212607.tif 000006
【図５】
2005212607.tif 000007
【図６】
2005212607.tif 000008
【図７】
2005212607.tif 000009
【図８】
2005212607.tif 000010